(57)【要約】【課題】スクリーンに走査される映像に生じるスペックルノイズを低減することができるプロジェクションディスプレイ装置を提供すること。【解決手段】光源と、光源からの出射光が同じく変調された変調光を予め設定された時間範囲内でＮ（Ｎは２以上の自然数）回繰り返して出射する光変調器と、Ｎ回繰り返して出射される変調光を反射して毎回スクリーンの同一位置に走査するミラーと、変調光が走査される度に変調光の偏光方向を回転させる偏光回転部と、を含むプロジェクションディスプレイ装置を提供する。【選択図】        図１ａ
2010026483.tif 000002
【特許請求の範囲】
【請求項１】
プロジェクションディスプレイ装置であって、
光源と、
前記光源からの出射光が同じく変調された変調光を予め設定された時間範囲内でＮ（Ｎは２以上の自然数）回繰り返して出射する光変調器と、
前記Ｎ回繰り返して出射される変調光を反射して毎回スクリーンの同一位置に走査するミラーと、
前記変調光が走査される度に前記変調光の偏光方向を回転させる偏光回転部と、
を含むことを特徴とするプロジェクションディスプレイ装置。
【請求項２】
前記予め設定された時間範囲が、ＨＶＳの時間分解能より小さいことを特徴とする請求項１に記載のプロジェクションディスプレイ装置。
【請求項３】
前記光変調器が、線形変調光を出射する１次元光変調器であり、
前記ミラーは、前記１次元光変調器からのＮ回繰り返して出射される線形変調光を前記スクリーンに走査して２次元映像を形成するスキャニングミラーであり、
前記偏光回転部は、前記線形変調光が走査される度に前記線形変調光の偏光方向を回転させることを特徴とする請求項１に記載のプロジェクションディスプレイ装置。
【請求項４】
前記光源は赤色、緑色、及び青色の光源を含み、
前記赤色、緑色、及び青色の光源は予め設定された順に光を出力することを特徴とする請求項１に記載のプロジェクションディスプレイ装置。
【請求項５】
前記光源は赤色、緑色、及び青色の光を少なくとも一回含む１セット周期で光を出力し、
前記光変調器は前記光を前記１セット周期でＮ回同じく変調して前記変調光を出射し、
前記偏光回転部は前記１セット周期で前記変調光の偏光方向を回転させることを特徴とする請求項４に記載のプロジェクションディスプレイ装置。
【請求項６】
前記１セット周期でＮ回同じく変調出力された変調光が前記スクリーンの同一位置に走査された場合に、フルカラー映像フレームが完成されることを特徴とする請求項５に記載のプロジェクションディスプレイ装置。
【請求項７】
前記１セット周期の前記Ｎの倍数が、人間の時間分解能周期より小さいことを特徴とする請求項５に記載のプロジェクションディスプレイ装置。
【請求項８】
前記偏光回転部が、液晶偏光回転部であることを特徴とする請求項１に記載のプロジェクションディスプレイ装置。
【請求項９】
前記偏光回転部が、前記ミラーと前記スクリーンとの間に位置することを特徴とする請求項１に記載のプロジェクションディスプレイ装置。
【発明の詳細な説明】
【技術分野】
【０００１】
本発明は、プロジェクションディスプレイ装置に関するもので、より詳細には、スペックルノイズを低減するプロジェクションディスプレイ装置に関する。
【背景技術】
【０００２】
近年、レーザを光源として用いるプロジェクションディスプレイ装置が広く普及している。プロジェクションディスプレイ装置は、一般のＬＣＤ、ＰＤＰなどのディスプレイでは実現することが非常に困難であった超大型映像から超小型映像まで実現することができるという長所がある。
【０００３】
しかし、このようなプロジェクションディスプレイ装置は、レーザ光源からの出射光をピクセル別に変調し、その変調された光をスクリーンに走査して映像を実現するため、スクリーンから直接発光する他のディスプレイ装置に比べて映像品質が劣るという問題点があった。
【０００４】
その中の一つが、レーザプロジェクションディスプレイ装置を使用する際に、映像に生じるスペックルノイズ（Ｓｐｅｃｋｌｅ  Ｎｏｉｓｅ）またはスペックルパターン（Ｓｐｅｃｋｌｅ  Ｐａｔｔｅｒｎ）である。レーザ光は干渉性を有するため、スクリーンには多数の干渉パターンが発生し、パターンの間隔が１ｍｍを超えると、使用者はこれをノイズとして認識することになる。
【０００５】
例えば、３メートル程度の距離からスクリーンを見る場合、人の目に見えるスクリーン上の１ピクセルのサイズは１ｍｍを超える場合が多い。したがって、１ピクセル内に同じ明るさではないスペックルパターンが生じると、人間の目はこれを感知することになる。すなわち、映像にノイズが入り、映像の品質が大幅に低下する。
【発明の開示】
【発明が解決しようとする課題】
【０００６】
本発明は上述した問題点を解決するためになされたもので、プロジェクションディスプレイ装置の光源から出力されるレーザ光の偏光方向を時分割的に回転させることによりスクリーン上のスペックルノイズを低減するプロジェクションディスプレイ装置を提供することをその目的とする。また、本発明の他の目的については、本発明の好適な実施の形態を通じて、より明確になる。
【課題を解決するための手段】
【０００７】
上述の課題を解決し目的を達成するために、本発明の一実施形態によるプロジェクションディスプレイ装置が提供される。
【０００８】
本発明の一実施形態によれば、プロジェクションディスプレイ装置であって、光源と、上記光源からの出射光が同じく変調された変調光を予め設定された時間範囲内でＮ回（Ｎは２以上の自然数）繰り返して出射する光変調器と、上記Ｎ回繰り返して出射される変調光を反射して毎回スクリーンの同一位置に走査するミラーと、上記変調光が走査される度に上記変調光の偏光方向を回転させる偏光回転部と、を含むプロジェクションディスプレイ装置が提供される。上記予め設定された時間範囲は、ＨＶＳ（Ｈｕｍａｎ  Ｖｉｓｉｏｎ  Ｓｙｓｔｅｍ）の時間分解能より小さい方がよい。
【０００９】
上記光変調器は線形変調光を出射する１次元光変調器であり、上記ミラーは上記１次元光変調器からＮ回繰り返して出射される線形変調光を上記スクリーンに走査して２次元映像を形成するスキャニングミラーであり、上記偏光回転部は上記線形変調光が走査される度に上記線形変調光の偏光方向を回転させることができる。
【００１０】
上記光源は赤色、緑色、及び青色の光源を含み、上記赤色、緑色、及び青色の光源は予め設定された順に光を出力することができる。
【００１１】
上記光源は、赤色、緑色、及び青色の光を少なくとも１度含む１セット周期で光を出力し、上記光変調器は上記光を上記１セット周期でＮ回同じく変調して上記変調光を出射し、上記偏光回転部は上記１セット周期で上記変調光の偏光方向を回転させることができる。
【００１２】
上記１セット周期でＮ回同じく変調出力された変調光が上記スクリーンの同一位置に走査された場合、フルカラー映像フレームが完成できる。上記１セット周期の上記Ｎの倍数は人間の時間分解能周期より小さい方がよい。
【００１３】
上記偏光回転部は液晶偏光回転部であってもよい。上記偏光回転部は上記ミラーと上記スクリーンとの間に位置することができる。
【発明の効果】
【００１４】
上述したように、本発明によれば、スクリーンに走査された映像に生じるスペックルノイズを低減することができる。
【発明を実施するための最良の形態】
【００１５】
本発明は多様な変換を加えることができ、様々な実施形態を有することができるため、本明細書では特定の実施形態を図面に例示し、詳細に説明する。しかし、これは本発明を特定の実施形態に限定するものではなく、本発明の思想及び技術範囲に含まれるあらゆる変換、均等物及び代替物を含むものとして理解されるべきである。
【００１６】
「第１」、「第２」などのような序数を含む用語は、多様な構成要素を説明するために用いられるに過ぎず、構成要素がそれらの用語により限定されることはない。それらの用語は一つの構成要素を他の構成要素から区別する目的だけに用いられる。例えば、本発明の権利範囲内における第１構成要素は第２構成要素であると命名することができ、同様に第２構成要素も第１構成要素であると命名することができる。「及び／または」という用語は、複数の関連のある記載項目の組み合わせまたは複数の関連のある記載項目のうち何れかの項目を含む。
【００１７】
ある構成要素が他の構成要素に「連結」あるいは「接続」されていると記載された場合は、その他の構成要素に直接的に連結されているか、または接続されていることの他にも、中間に他の構成要素が存在する場合も含むものとして理解しなければならない。一方、ある構成要素が他の構成要素に「直接連結」あるいは「直接接続」されていると記載された時には、中間に他の構成要素が存在しないものと理解しなければならない。
【００１８】
本明細書において用いた用語は、特定の実施形態を説明するためだけに用いられたものであって、本発明を限定するものではない。単数の表現は、文の中で明らかに表現しない限り複数の表現を含む。本明細書において「含む」または「有する」などの用語は、明細書上に記載された特徴、数字、段階、動作、構成要素、部品、またはこれらを組合せたものの存在を指定するものであって、一つまたはそれ以上の他の特徴や数字、段階、動作、構成要素、部品、またはこれらを組合せたものの存在または付加可能性を予め排除するものではないと理解しなければならない。
【００１９】
その他、定義しない限りにおいて技術的または科学的用語を含み、ここで用いられる全ての用語は、本発明が属する技術分野における通常の知識を有する者によって一般的に理解されるものと同一の意味であるものと解する。予め定義しているような一般的に用いられる用語は、関連技術の文脈上の意味と一致する意味を有すると解釈すべきで、本明細書で明らかに定義しない限り、理想的または過度に形式的な意味として解釈しない。
【００２０】
以下、添付した図面を参照して、本発明に係る好ましい実施形態を詳細に説明する。本発明を説明するに当たって、図面の符号に拘わらず、同一かつ対応する構成要素は同一の参照番号を付し、これに対する重複する説明は省略する。
【００２１】
図１ａは、本発明の一実施形態によるプロジェクションディスプレイ装置の構成を示した図である。図１ａを参照すると、本発明の一実施形態によるプロジェクションディスプレイ装置は、光源１００、偏光回転部１５０、偏光ドライバ回路１５５を含むものである。
【００２２】
本発明のプロジェクションディスプレイ装置は、照明系レンズ、プロジェクションレンズ、スキャニングミラー、光変調器などがさらに含まれる。プロジェクションディスプレイ装置に含まれる他の構成要素については、図３及び図４を参照して説明する。
【００２３】
図１ａに示されたように、光源１００からは光が出射される。ここで、光源１００はレーザダイオード、固体レーザ、気体レーザ、及び液体レーザ等であって、特にレーザの種類は限定されない。光源１００から出射された光は、スクリーン１９０に到達してスクリーン１９０上に像を形成し、スクリーン１９０に形成された映像を使用者が認識することができる。光は干渉性を有するため、スクリーン１９０上に投射された映像には不規則なパターンのスペックルノイズ（またはスペックルパターン）が生じることがある。すなわち、レーザはコヒーレント光であり、投射映像にスペックルノイズを生じさせる原因となるが、人間の視覚でこれを認識できる程度になると、映像の品質は急激に落ちることになる。
【００２４】
しかしながら、互いに干渉しないＮ個の光がスクリーン上に重なると、スペックルノイズは√Ｎ倍低減する。すなわち、Ｎ個の無相関（Ｕｎｃｏｒｒｅｌａｔｅｄ）レーザ光が重畳されると、映像のスペックルノイズは√Ｎを低減因子として、低減することになる。したがって、本発明の偏光回転部１５０は、光源１００から出射された光がスクリーン１９０に照射される間に光の偏光方向を時分割的に回転させて、スクリーン１９０上に無相関レーザ光を重畳させる。
【００２５】
すなわち、本発明の偏光回転部１５０が、１／２０秒以下の時間周期である１／４０秒の間に光の偏光方向を９０°（＝π／２）回転させると、１／２０秒内に互いの偏光方向が直交する二つの光がスクリーン１９０上で重畳されることになる。したがって、スクリーン１９０を見ている人にはスペックルノイズが√２倍低減する。
【００２６】
１／４０秒以下では無相関レーザ光は重畳されないが、これによるスペックルノイズは人間の視覚では認識することができないため、考慮しなくても良い。これは、人間の視覚情報システムＨＶＳの時間分解能には、限界があるからである。すなわち、目で物体を見るとき、目は１／２０秒より短い時間範囲内で変化する視覚的刺激は認められないと知られている。これは、ＴＶの走査線が左上端から６０Ｈｚの周波数で隔行走査したとしても、人間はこれを完全な２次元映像として認識するという原理である。但し、１／２０秒という数値は人によって多少の差はある。したがって、人間の時間分解能以下の周期で無相関レーザ光をスクリーン上に重畳させると、ＨＶＳはスペックルノイズが√２倍低減すると認識することになる。
【００２７】
これについて、図１ｂを参照して説明すると、本発明の一実施形態によるプロジェクションディスプレイ装置には光源１００、視準レンズ１００ｃ、偏光回転部１５０が含まれることが示されている。図１ａを参照して説明したように、光源１００から出射された光は視準レンズ１００ｃを通じて平行光となる。平行に視準された平行光は偏光回転部１５０を通過しながら偏光方向が垂直に回転する。図１ｂに示された偏光回転部１５０は液晶偏光回転部であることができる。
【００２８】
偏光回転部１５０が液晶偏光回転部であれば、電圧を印加すると、偏光回転部１５０内に含まれている液晶の配列が変わって偏光回転部１５０を通過する光の偏光方向Ｅを一方向に回転させる。より詳細に説明すると、偏光回転部１５０に含まれている「液晶」は、分子が固体状態での完全な規則性を有する状態と、通常の等方性液体での不規則性を有する状態との中間状態にある物質を意味する。
【００２９】
液晶状態は外部から電場が加えられると液晶分子の配列が変わるが、これを用いてスクリーン１９０に照射される光を偏光させる。すなわち、電場が一方向に加えられている液晶にスクリーンへの照射前の光を透過させると、光がフィルタリングされて一方向に加えられている電場と同じ振動面だけが残って偏光される。すなわち、分子配列に応じて光を特定方向に偏光させることができる。
【００３０】
また、電場を直前の電場の方向と垂直方向に回転するか、印加していた電場を除去すると、液晶を透過する光に残る振動面は、直前の電場と垂直な振動面だけが残る偏光となる。したがって、液晶偏光回転部１５０は外部から加えられる電場の方向に応じて偏光方向を回転させることができる。液晶偏光回転部１５０に電位Ｖを供給して電場を加えるものは、図１ａに示された偏光ドライバ回路１５５とすることができる。
【００３１】
偏光ドライバ回路１５５は、予め決められた周期で電場の印加及び解除を繰り返すか、印加する電場の方向を予め決められた周期で変更することにより、偏光回転部１５０を通過した光の偏光方向が時分割的に垂直になるようにすることができる。
【００３２】
しかし、本発明の他の実施形態によれば、光源１００から出射された光がスクリーン１９０に直接投射されて映像を形成することではなく、映像を形成する各ピクセル別に異なる輝度値及び異なるカラーが投射されて一つのフルカラー映像を形成するために、様々な構成要素をさらに含む。特に、本発明の他の実施形態に含まれる光変調器は、光源１００から出射される光をピクセル単位で変調して変調光を生成する。生成された変調光はスキャニングミラーにより反射されてスクリーン１９０に投射され、スクリーン１９０上には映像が生成される。
【００３３】
ピクセル単位で光の輝度を変調する光変調器については、図２及び図３を参照して詳しく説明する。図２は本発明の一実施形態によるプロジェクションディスプレイ装置に含まれる光変調器を構成するマイクロミラーの形状を示す図である。図２を参照すると、光変調器を構成するために一列に配列された複数のマイクロミラーのうちの一つのマイクロミラーにおいて、基板２１０、絶縁層２２０、犠牲層２３０、リボン構造物２４０、及び圧電体２５０を含むマイクロミラーが示されている。
【００３４】
光変調器にマイクロミラーが一列に配列された場合には１次元光変調器となり、２次元平面上に配列された場合には２次元平面光変調器となる。これについては、図３を参照して詳しく説明する。
【００３５】
基板２１０は一般に使用される半導体基板であり、絶縁層２２０はエッチング停止層（ｅｔｃｈ  ｓｔｏｐ  ｌａｙｅｒ）として蒸着され、犠牲層として用いられる物質をエッチングするエッチャントに対して選択比の高い物質として形成される。ここで、エッチャントとは、エッチングガスまたはエッチング溶液をさすものである。また、絶縁層２２０上には入射光を反射するために下部反射層２２０（ａ）が形成されることができる。犠牲層２３０は、リボン構造物２４０が絶縁層２２０から一定間隔離隔されるように、両側からリボン構造物２４０を支持し、中心部にスペースを形成する役割を担う。
【００３６】
リボン構造物２４０は、入射光に対して回折及び干渉を起こして信号を光変調する役割を担う。リボン構造物２４０は、複数のリボン形状で構成されることができ、リボンの中心部に一つ以上の開口部２４０（ｂ）を具備することもできる。また、圧電体２５０は、上部及び下部電極間の電圧差により発生する上下または左右の収縮及び膨脹程度に応じて、リボン構造物２４０が上下移動するように制御する。ここで、下部反射層２２０（ａ）は、リボン構造物２４０に形成された開口部２４０（ｂ）に対応して形成される。
【００３７】
例えば、光の波長がλである場合、リボン構造物２４０に形成された上部反射層２４０（ａ）と、絶縁層２２０に形成された下部反射層２２０（ａ）との間の間隔が、（２Ｌ）λ／４（Ｌは自然数）になるようにする第１電圧が圧電体２５０に印加される。この場合、０次回折光の場合には、上部反射層２４０（ａ）から反射された光と下部反射層２２０（ａ）から反射された光との間の全体経路差はＬλであって、補強干渉を起こして変調光は最大輝度を有する。ここで、＋１次及び−１次回折光の場合には、光の明るさは相殺干渉により最小値を有する。
【００３８】
また、リボン構造物２４０に形成された上部反射層２４０（ａ）と、絶縁層２２０に形成された下部反射層２２０（ａ）との間の間隔が（２Ｌ＋１）λ／４（Ｌは自然数）になるようにする第２電圧が圧電体２５０に印加される。この場合、０次回折光の場合には、上部反射層２４０（ａ）から反射された光と下部反射層２２０（ａ）から反射された光との間の全体経路差は（２Ｌ＋１）λ／２であって、相殺干渉を起こして変調光は最小輝度を有する。ここで、＋１次及び−１次回折光の場合には、補強干渉により光の輝度は最大値を有する。このような干渉から、マイクロミラーは回折光の光量を調節して一つのピクセルに対する信号を光に乗せることができる。
【００３９】
以上では、リボン構造物２４０と絶縁層２２０との間の間隔が（２Ｌ）λ／４または（２Ｌ＋１）λ／４である場合を説明したが、リボン構造物２４０と絶縁層２２０との間の間隔を調節して、入射光の回折、反射により干渉される光の輝度を調節できる多様な実施形態が本発明に適用できることは自明である。
【００４０】
また、図２では回折型光変調器を中心に説明したが、これは、本発明の一実施形態によるプロジェクションディスプレイ装置に含まれる光変調器に過ぎず、透過型、反射型の光変調器で代替できることは明らかである。
【００４１】
また、図２では圧電方式の光変調器を中心に説明したが、これは本発明に用いられる光変調器の一例に過ぎず、静電方式の光変調器で代替できることは明らかである。
【００４２】
図３は、本発明の実施形態によるプロジェクションディスプレイ装置に含まれる光変調器を示す図である。図３を参照すると、光変調器１３０は、それぞれ第１ピクセル（ｐｉｘｅｌ  ＃１）、第２ピクセル（ｐｉｘｅｌ  ＃２）、…、第ｍピクセル（ｐｉｘｅｌ  ＃ｍ）を担当するｍ個のマイクロミラー（１００−１，１００−２，…，１００−ｍ）で構成される。光変調器１３０は、垂直走査線または水平走査線（ここで、垂直走査線または水平走査線はｍ個のピクセルで構成されると仮定する）の１次元映像に対する映像情報を担当し、各マイクロミラー１００−１，１００−２，…，１００−ｍは、垂直走査線または水平走査線を構成するｍ個のピクセルの中の一つのピクセルを担当する。したがって、図３に示された光変調器１３０は１次元光変調器に該当する。
【００４３】
図３に示すように、垂直走査線または水平走査線は、マイクロミラーが一列に配置された長手方向の光変調器に線形光（Ｌｉｎｅ  Ｂｅａｍ）が入射されてピクセル単位に変調される１次元変調光である。
【００４４】
それぞれのマイクロミラーにより反射及び／または回折された光は、その後、スキャナによりスクリーン１９０に２次元映像として投射される。例えば、ＶＧＡ６４０×４８０解像度の場合、４８０個の垂直ピクセルに対して、スキャナの一面当たり６４０回変調されてスクリーン１９０に一つの平面フレームが生成される。
【００４５】
本実施形態では、リボン構造物２４０に形成された開口部２４０（ｂ）−１は二つであると仮定する。二つの開口部２４０（ｂ）−１によりリボン構造物２４０上部には三つの上部反射層２４０（ａ）−１が形成される。絶縁層２２０には二つの開口部２４０（ｂ）−１に対応して二つの下部反射層が形成される。そして、第１ピクセル（ｐｉｘｅｌ  ＃１）と第２ピクセル（ｐｉｘｅｌ  ＃２）との間の間隔に対応して、絶縁層２２０にはさらに一つの下部反射層が形成される。したがって、各ピクセル当りの上部反射層２４０（ａ）−１及び下部反射層の数は、同じく三つになり、０次回折光または±１次回折光を用いて変調光の輝度を調節することが可能になる。
【００４６】
図４は、本発明の実施形態によるプロジェクションディスプレイ装置の構成を示す図である。図４を参照すると、プロジェクションディスプレイ装置は光源１００、照明系レンズ１１０、光変調器１３０、プロジェクションレンズ１４０、絞り１４２、スキャニングミラー１７０、偏光回転部１５０、偏光ドライバ回路１５５を含んで構成される。
【００４７】
光源１００は緑色レーザダイオードで設けられる。以下では、光源１００が緑色レーザダイオードであると仮定して説明する。しかし、光源１００が赤色または青色の光源であってもよいことは自明である。
【００４８】
緑色レーザダイオード１００から出力された緑色光は、先ず、前方に放射され、緑色光を視準するための視準レンズを通過することになる。視準レンズを通過した緑色光は平行光になって進行し、シリンダレンズを通過する。
【００４９】
シリンダレンズとは、平行光を線形に変形させるためにシリンダ形状の光学材質に横方向または縦方向に曲率半径が形成されたレンズのことである。しかし、本発明がシリンダレンズの名称や構成に限定されるものではなく、１次元光変調器に線形光が入射されるように光の形状を変形する光学要素であれば、シリンダレンズを代替することができる。
【００５０】
視準レンズ及びシリンダレンズで構成された照明系レンズ１１０を通過した緑色光は、平行な線形光になり、１次元光変調器１３０に入射される。１次元光変調器１３０には、図３で説明したように、複数のマイクロミラーがピクセル単位で配列されているため、ピクセル単位別に緑色光を回折させて各ピクセル別の輝度を変調することができる。
【００５１】
１次元光変調器１３０によりピクセル単位で変調された変調光は、プロジェクションレンズ１４０を通じて絞り１４２に進行する。プロジェクションレンズ１４０は、１次元光変調器１３０によりピクセル単位に変調された線形の変調光が絞り１４２を通過できるように集光する機能を担う。図４には、絞り１４２が単一スリットの絞り１４２であるものを示したが、本発明のプロジェクションディスプレイ装置に含まれる絞りはこれに限定されず、二重スリットの絞りによっても代替が可能である。
【００５２】
絞り１４２を通過した緑色の変調光がスクリーン１９０に照射されると、一つの１次元セグメント映像が形成される。１次元光変調器１３０に４８０個のマイクロミラーが一列に含まれている場合、１次元光変調器１３０から変調されて出力される光は４８０個のピクセル情報を含む光であるからである。
【００５３】
したがって、緑色の変調光がスクリーン１９０上に２次元映像として投射されるためには、スキャニングミラー１７０が必要である。スキャニングミラー１７０は、ガルバノミラー（Ｇａｌｖａｎｏ−ｍｉｒｒｏｒ）またはポリゴンミラー（Ｐｏｌｙｇｏｎ−ｍｉｒｒｏｒ）とすることができる。
【００５４】
スキャニングミラー１７０は、緑色の変調光をスクリーン１９０の一端から他端まで走査する。すなわち、スクリーン１９０にＶＧＡ６４０×４８０解像度の映像を投射する場合、スキャニングミラー１７０は４８０個のピクセル情報が含まれている垂直走査線または水平走査線（変調光）を走査することで、２次元の６４０×４８０解像度の映像を完成する。
【００５５】
この場合、スキャニングミラー１７０が、スクリーン１９０の一端から他端まで走査する間に１次元光変調器１３０は６４０回変調し、スクリーン１９０には６４０×４８０ピクセルのフルカラー映像を完成する。単に、スクリーンの一端から他端までの走査に必要とされる時間（走査周期）はＨＶＳの時間分解能である１／２０秒以下とするべきである。
【００５６】
しかし、本発明の実施形態のプロジェクションディスプレイ装置に含まれる１次元光変調器１３０は、１／２０秒の間に６４０回の変調を２回行い、スキャニングミラー１７０は二倍の速さで走査を行う。すなわち、同じ画面をスクリーンに２回投射する。しかし、ＨＶＳによれば人間の時間分解能は１／２０秒であるため、１／２０秒以内に二つの同じフレームがスクリーン上で重畳されても人はこれを認知することができない。
【００５７】
この場合、本発明のプロジェクションディスプレイ装置に含まれる偏光回転部１５０は、１／４０秒の周期で偏光方向を回転させる。したがって、１／２０秒の間に同じフレームが互いに偏光方向を異にして重畳されても、映像のＲＧＢ画素には影響を与えずに、単に無相関レーザ光がスクリーン１９０の同一位置に重畳されることによりスペックルノイズが√２倍低減することになる。偏光回転の周期は偏光ドライバ回路１５５で調節することができる。すなわち、偏光ドライバ回路１５５は光変調器を制御する回路（図示せず）あるいはディスプレイ装置のホストプロセッサ（図示せず）に接続されて、光源及び光変調器の制御と同期して偏光を回転させるように制御することが可能である。
【００５８】
図５は本発明の他の実施形態によるプロジェクションディスプレイ装置の構成を示す図である。図５では、図４に示されたプロジェクションディスプレイ装置とは異なって、三色の光源を含んでいる。三色の光源は、緑色レーザダイオード１００、赤色レーザダイオード１０１、青色レーザダイオード１０２とすることができる。光源の配置順序は一実施形態に過ぎず、構成に応じてその配置は異なってもよい。
【００５９】
本発明のプロジェクションディスプレイ装置は、一つの１次元光変調器１３０を用いるため、緑色レーザダイオード１００、赤色レーザダイオード１０１、青色レーザダイオード１０２が予め設定された順にそれぞれの光を出力することになる。例えば、出力される光の順は、赤色（Ｒ）、緑色（Ｇ）、青色（Ｂ）という順番があり得る。したがって、光はＲＧＢ，ＲＧＢ，ＲＧＢ，…，ＲＧＢの順に光を出力することになる。
【００６０】
しかし、これは本発明のプロジェクションディスプレイ装置を説明するための一実施形態に過ぎず、様々な要因により出力される光の順序を異にすることができる。例えば、赤色レーザダイオード１０１の出力が、青色レーザダイオード１０２あるいは緑色レーザダイオード１００の出力より低い場合には、赤色レーザダイオード１０１が２回連続して赤色光を出力し、その後、緑色レーザダイオード１００、青色レーザダイオード１０２の順に光を出力することができる。したがって、この場合、出力される光の順序は、ＲＲＧＢ，ＲＲＧＢ，ＲＲＧＢ，…，ＲＲＧＢとなる。
【００６１】
以下では、説明の便宜のために、赤色、赤色、緑色、青色の順に光が出力される場合（ＲＲＧＢ，ＲＲＧＢ，ＲＲＧＢ，…，ＲＲＧＢ）を中心に説明する。また、それぞれの光が出力される時間間隔は１／２４０秒であると仮定する。
【００６２】
赤色、赤色、緑色、青色の順に光が出力されると、それぞれの光は順に照明系レンズ１１０を経て光変調器１３０に入射される。緑色レーザダイオード以外の青色レーザダイオードや赤色レーザダイオードは、その配置からハーフミラー１０１ｈ，１０２ｈなどの光学素子により反射され、シリンダレンズなどを経て１次元光変調器１３０に入射される。また、それぞれの光源１００，１０１，１０２は、それぞれの視準レンズ１００ｃ，１０１ｃ，１０２ｃを有することができる。
【００６３】
先ず、赤色の光が１／２４０秒間出力され、１次元光変調器１３０に入射されると、１次元光変調器１３０は１／２４０秒の間に６４０回変調を行う。すなわち、スクリーン１９０に６４０×４８０ピクセルの映像を投射するために、４８０ピクセル単位の一次元変調光を６４０回変調することになる。
【００６４】
変調光はプロジェクションレンズ１４０を経て、絞り１４２を通過し、スキャニングミラー１７０により反射されて１／２４０秒の間にスクリーン１９０の一端から他端まで走査される。したがって、１／２４０秒の間に、スクリーン１９０上には６４０×４８０ピクセルの赤色映像が投射されて表示される。
【００６５】
その後、赤色レーザダイオード１０１はオフ（ＯＦＦ）になり、緑色レーザダイオード１００がオン（ＯＮ）になって緑色光が１／２４０秒間出力される。上述した赤色映像と同様に緑色映像がスクリーン１９０に投射される。その後、青色レーザダイオード１０２から青色光が出力されてスクリーン１９０には青色映像が１／２４０秒間投射される。
【００６６】
したがって、赤色、青色、緑色の映像がスクリーン１９０に投射されるのに必要とされる時間は、１／６０秒（１／２４０秒×４）になる。但し、赤色、青色、緑色の映像がスクリーン１９０に投射される間に、１次元光変調器１３０から行われる変調はそれぞれ異なる。すなわち、スクリーン１９０に投射される映像は６４０×４８０ピクセルの映像であり、各ピクセルのＲＧＢ画素値は独立しているために、赤色が入射される１／２４０秒、緑色が入射される１／２４０秒、青色が入射される１／２４０秒の間にそれぞれ異なる変調が行われる。単に、赤色は出力が弱くて２回連続して出力されるので、赤色が出力される１／２４０秒の２回（１／２４０秒×２）の間は、互いに同じ変調を行う。
【００６７】
これについて、図６を参照してより詳細に説明する。図６は、本発明のプロジェクションディスプレイ装置により、スクリーン上にフルカラー映像が投射される過程を簡略に示す図である。１次元光変調器１３０及びスキャニングミラー１７０以外の構成要素は省略する。
【００６８】
先ず、赤色光が入射された１次元光変調器１３０が、４８０個の垂直ピクセルからなった１次元線形変調光を出力すると、スキャニングミラー１７０が回転しながらこれを反射してスクリーン１９０に投映する。これにより、４８０個の垂直ピクセルからなった１次元線形変調光がスクリーン１９０の右端から左端に走査され赤色映像がスクリーン１９０に投射される。
【００６９】
その後、緑色光が入射された１次元光変調器１３０は、４８０個の垂直ピクセルからなる１次元線形変調光を出力し、スキャニングミラー１７０は回転しながらこれを反射してスクリーン１９０に投映する。但し、スキャニングミラー１７０が左端から右端に回転するので、スキャニング方向は以前の赤色光の場合と反対になる。しかし、スキャニングミラー１７０の回転方向の設定から１次元線形変調光が一方向にだけ走査されるようにすることができる。ここで、スキャニングミラー１７０は１光走査毎に２回回転することになる。
【００７０】
上述したように、赤色、緑色、青色、赤色、赤色、緑色、青色、…の順で１次元変調光がスクリーン１９０に投射され、その際、１セットの赤色、赤色、緑色、青色の照射時間は１／６０秒になる。したがって、１／２０秒間には、３セットの赤色、赤色、緑色、青色の変調光がスクリーン１９０に走査されることができる。しかし、ＨＶＳの時間分解能を１／２０秒と仮定すれば、それぞれのフルカラー映像フレームを１／２０秒の間にスクリーン１９０に走査しても人はこれを認知することができない。
【００７１】
したがって、本発明のプロジェクションディスプレイ装置は、３セットを同じくスクリーン１９０に走査して１／２０秒の間に同じフルカラー映像フレームが３回スクリーン１９０に重畳される（１／６０秒×３）ようにする。但し、同じ変調光が同一位置に重畳されなくてはならないため、１次元光変調器１３０はセット（ＲＲＧＢ）ごとにスキャニングミラー１７０と同期してスクリーン１９０の同一位置に同じく変調された光が投射されるように各色の光を変調しなくてはならない。この場合、本発明のプロジェクションディスプレイ装置は、それぞれのセット毎に変調光の偏光方向が互いに直交するように偏光方向Ｅを回転させる。
【００７２】
すなわち、本発明によるプロジェクションディスプレイ装置はスキャニングミラー１７０とスクリーン１９０との間に偏光回転部１５０を備えており、それぞれのセット毎に変調光の偏光方向を回転させることができる。偏光回転部１５０は、図２を参照して説明したような液晶偏光回転部で設けられることができ、偏光回転周期は上述した例では、１／６０秒となる。しかし、偏光回転周期はこれに限定されず、偏光ドライバ回路１５５により、スクリーン上に重畳される光の偏光方向が予め設定された時間周期内で繰り返して回転されるように調整することができる。
【００７３】
したがって、垂直方向（１２時−６時方向）に偏光された赤色、赤色、緑色、青色の１次元変調光がスクリーン１９０に投射され、その後、同じく変調された赤色、赤色、緑色、青色の１次元変調光が再び水平方向（９時−３時方向）に偏光されてスクリーン１９０に投射される。
【００７４】
したがって、１／２０秒の間にスクリーン１９０に投射される３セットの同じ映像のうちの少なくとも二つの映像は、無相関レーザ光が互いに重畳されて完成された映像であるので、スペックルノイズは√２倍低減することになる。
【００７５】
しかし、上述した３セットの赤色、赤色、緑色、青色の１次元線形変調光をスクリーン１９０に投射しながら各セット別に偏光方向を回転させることは、本発明の一実施形態に過ぎず、２セットの赤色、緑色、青色の１次元線形変調光がスクリーン１９０に走査される場合にも同様にセット別に偏光方向を回転させることができる。
【００７６】
図７は本発明の実施形態によるプロジェクションディスプレイ装置から生じるスペックルノイズの低減状態を示すグラフである。図７には、三つの光の強さを示すグラフが図示されている。グラフの縦軸は光の強さを示し、横軸はスクリーンの長さを示す。また、本グラフは本発明の実施形態によるプロジェクションディスプレイ装置を用いて、スクリーン１９０に映像を投射し、３ｍの距離で測定した光の強さの分布を示している。
【００７７】
第１の光の強さの分布６１０は、垂直方向に偏光された光をスクリーン１９０に照射した場合にスクリーン１９０に生じるスペックルパターンを意味し、第２の光の強さの分布６２０は、水平方向に偏光された光をスクリーン１９０に照射した場合にスクリーン１９０に生じるスペックルパターンを意味する。
【００７８】
第３の光の強さの分布６３０は、垂直方向に偏光された光をスクリーン１９０に照射し、ＨＶＳの時間分解能以内に水平方向に偏光された光をスクリーン１９０に照射する場合に、映像が重畳されることで生じるスペックルパターンを示している。グラフを参照すると、第３の光の強さの分布６３０は、第１の光の強さの分布６１０や第２の光の強さの分布６２０に比べて不規則性（Ｆｌｕｃｔｕａｔｉｏｎ）が低減したことが分かる。これは、互いに直交する偏光方向を有する同じ光がスクリーン１９０に照射されると、スペックルノイズが低減することを示す。したがって、図１ａ〜図５を参照して説明した本発明の多様な実施形態によるプロジェクションディスプレイ装置を用いると、スクリーン１９０に生じるスペックルノイズを√２倍低減することができる。
【図面の簡単な説明】
【００７９】
【図１ａ】本発明の一実施形態によるプロジェクションディスプレイ装置の構成を簡略化して示す図である。
【図１ｂ】本発明の一実施形態によるプロジェクションディスプレイ装置の構成を簡略化して示す図である。
【図２】本発明の一実施形態によるプロジェクションディスプレイ装置に含まれる光変調器を構成するマイクロミラーの形状を示す図である。
【図３】本発明の実施形態によるプロジェクションディスプレイ装置に含まれる光変調器を示す図である。
【図４】本発明の実施形態によるプロジェクションディスプレイ装置の構成を示す図である。
【図５】本発明の他の実施形態によるプロジェクションディスプレイ装置の構成を示す図である。
【図６】本発明のプロジェクションディスプレイ装置がスクリーンにフルカラー映像を投射する過程を簡略に示す図である。
【図７】本発明の実施形態によるプロジェクションディスプレイ装置から生じるスペックルノイズの低減状態を示すグラフである。
【符号の説明】
【００８０】
１００  光源
１５０  偏光回転部
１５５  偏光ドライバ回路
１９０  スクリーン
【図１ａ】
2010026483.tif 000003
【図１ｂ】
2010026483.tif 000004
【図２】
2010026483.tif 000005
【図３】
2010026483.tif 000006
【図４】
2010026483.tif 000007
【図５】
2010026483.tif 000008
【図６】
2010026483.tif 000009
【図７】
2010026483.tif 000010